(57)【要約】【課題】三角プリズム形状の収納物を収納することが可能であり、収納物を保護しつつ気密性を高めることができる。【解決手段】容器Ａは、第１面部１、第２面部２および一対の側面部３を備える。第１面部１と第２面部２とは所定の角度をなして配置される。一対の側面部３は、第１面部１と間接的に連設されるとともに、第２面部２と直接的または間接的に連設される。収納部Ｃｔは、第１面部１と、第２面部２と、一対の側面部３とによって形成される。シート部材Ｐｓは、第１面部１と、第２面部２と、一対の側面部３と、折り返し部４（５）と、第１張出部６と、第２張出部７と、第３張出部８とを備える。折り返し部４（５）は、二つ折りされるとともに側面部３の外面に接着可能である。【選択図】図１
2020075753.tif 000002
【特許請求の範囲】
【請求項１】
シート部材を折り曲げて形成され収納部を有する容器であって、
対向して配置されるとともに長さが等しい一対の側辺を含む四角形状の第１面部と、
対向して配置されるとともに長さが等しい一対の側辺を含む四角形状であるとともに前記第１面部の前記側辺以外の一辺に直接的または間接的に連設されて前記第１面部に対して所定の角度をなして配置される第２面部と、
前記第１面部の前記側辺と間接的に連設される第１辺と、前記第２面部の前記側辺と直接的または間接的に連設される第２辺とを有する一対の側面部と、を備え、
前記収納部は、前記第１面部と、前記第２面部と、一対の前記側面部とによって形成されて前記第１面部および前記第２面部と対向する部分に開口を有する三角プリズム形状であり、
前記シート部材は、
前記第１面部と、前記第２面部と、一対の前記側面部と、
複数の折り返し部と、
前記第１面部の前記第２面部と連設される辺と対向する辺に直接的に連設される第１張出部と、
前記側面部の前記第１辺および前記第２辺と隣接する第３辺に直接的に連設される第２張出部と、
前記第２面部の前記第１面部と連設される辺と対向する辺に直接的に連設される第３張出部と、を有し、
前記第１面部の前記側辺および前記第１辺とは、前記折り返し部を介して間接的に連設され、
一対の前記側面部と間接的に連設される前記第２面部の前記側辺と前記第２辺とは、前記折り返し部を介して間接的に連設され、
前記第２張出部の前記折り返し部と近接する側の端部は、前記第３辺の端部よりも外側に突出する突出部を含み、
前記折り返し部は、前記側面部の前記第１辺または前記第２辺の内側の端部から外縁に延びる折り線で二つ折りされるとともに前記側面部の外面に接着可能であることを特徴とする容器。
【請求項２】
前記シート部材は一枚の紙シートから構成され、
前記紙シートの前記収納部側の面には、耐油性層および耐水性層の少なくとも一方が積層されている請求項１に記載の容器。
【請求項３】
前記第１面部と、前記第２面部とが直接的に連設されている請求項１または請求項２に記載の容器。
【請求項４】
長方形状の第３面部をさらに備え、
前記第３面部の二対の対向する辺のうち一方の対向する辺のそれぞれに前記第１面部と、前記第２面部とが直接的に連設されており、
前記第３面部の他方の対向する辺のそれぞれに一対の前記側面部が直接的に連接されている請求項１または請求項２に記載の容器。
【請求項５】
前記第２面部と前記側面部の第２辺とは、前記折り返し部を介して間接的に連設され、
前記第１張出部、前記第２張出部および前記第３張出部は、それぞれ、前記収納部に対して外側に折り曲げられており、
前記第１張出部、前記第２張出部および前記第３張出部に接着される蓋部をさらに備える請求項３または請求項４に記載の容器。
【請求項６】
前記第２張出部の前記突出部は一対の前記側面部よりも内側に突出した重ね部を備え、
前記重ね部は、前記第１張出部および第３張出部の両端部と重なる請求項５に記載の容器。
【請求項７】
前記蓋部は、前記第１張出部、第２張出部および第３張出部のいずれかと一体的に形成されている請求項５または請求項６のいずれかに記載の容器。
【請求項８】
前記第２面部と前記側面部の第２辺とは直接的に連設され、
前記第１張出部および前記第２張出部は、それぞれ、前記収納部に対して外側に折り曲げられており、
前記第３張出部は、前記第２面部との境界線で折り曲げられて蓋部として前記第１張出部および前記第２張出部に接着可能である請求項３に記載の容器。
【請求項９】
前記第２張出部の前記突出部は一対の前記側面部よりも内側に突出した重ね部を備え、
前記重ね部は、前記第１張出部の両端部と重なる請求項８に記載の容器。
【発明の詳細な説明】
【技術分野】
【０００１】
本発明は、三角形状の収納物を収納する容器に関する。
【背景技術】
【０００２】
従来の容器（コンテナ）は特許文献１に開示されている。この紙製のコンテナは、２つの二等辺三角形状の端壁と、端壁の側辺に沿って延在している四角形の２つの側壁とを有する。端壁は、長さの等しい側辺と底辺を有する。２つの側壁は、コンテナの頂点で一緒になるとともに、他の端には、端辺を有する。そして、各端壁の底辺と各側壁の端辺とが長方形状の開口を形成する。
【０００３】
そして、一方の三角形の底辺に沿ってヒンジ止めされる蓋が備えられる。蓋は、ヒンジ周りに回転することで、開口を開閉可能である。他の底辺および側壁の底辺と隣接する端辺には、フランジが備えられる。蓋の外周をフランジと接触させて熱接着することで、コンテナは密封囲いされる。
【先行技術文献】
【特許文献】
【０００４】
【特許文献１】特開２００６−５０９６９３号公報
【発明の概要】
【発明が解決しようとする課題】
【０００５】
しかしながら、このような構成のコンテナでは、２つの側壁同士または端壁自体が切り離されて形成されており、２つの側壁同士の突き合せ部分または端壁自体の内部につなぎ目が形成される。つなぎ目では、密封性が損なわれやすく、内部に収納する物品が劣化しやすくなる虞がある。また、つなぎ目は、十分な強度を得られない可能性があり、内部に収納する物品の保護が不十分になる虞もある。
【０００６】
本発明は、三角プリズム形状の収納物を収納することが可能であり、収納物を保護しつつ気密性を高めることができる容器を提供することを目的とする。
【課題を解決するための手段】
【０００７】
上記目的を達成するために本発明の容器は、シート部材を折り曲げて形成された収納部を備える容器である。容器は、第１面部、第２面部および一対の側面部を備える。前記第１面部は、対向して配置されるとともに長さが等しい一対の側辺を含む四角形状である。前記第２面部は対向して配置されるとともに長さが等しい一対の側辺を含む四角形状であるとともに前記第１面部の前記側辺以外の一辺に直接的または間接的に連設されて前記第１面部に対して所定の角度をなして配置される。一対の前記側面部は、前記第１面部の前記側辺と間接的に連設される第１辺と、前記第２面部の前記側辺と直接的または間接的に連設される第２辺とを備える。前記収納部は、前記第１面部と、前記第２面部と、一対の前記側面部とによって形成されて前記第１面部および前記第２面部と対向する部分に開口を有する三角プリズム形状である。前記シート部材は、前記第１面部と、前記第２面部と、一対の前記側面部と、複数の折り返し部と、第１張出部と、第２張出部と、第３張出部とを備える。前記第１面部の前記側辺および前記第１辺とは、前記折り返し部を介して間接的に連設される。一対の前記側面部と間接的に連設される前記第２面部の前記側辺と前記第２辺とは、前記折り返し部を介して間接的に連設される。前記第１張出部は、前記第１面部の前記第２面部と連設される辺と対向する辺に直接的に連設される。前記第２張出部は、前記側面部の前記第１辺および前記第２辺と隣接する第３辺に直接的に連設される。前記第３張出部は、前記第２面部の前記第１面部と連設される辺と対向する辺に直接的に連設される。前記第２張出部の前記折り返し部と近接する側の端部は、前記第３辺の端部よりも外側に突出する突出部を含む。前記折り返し部は、前記側面部の前記第１辺または前記第２辺の内側の端部から外縁に延びる折り線で二つ折りされるとともに前記側面部の外面に接着される。
【０００８】
このように構成することで、折り返し部が、側面部の外側に接着される。折り返し部で折り返して三角形プリズム形状に形成するため、外力により容器がつぶれにくく、収納物を保護することができる。また、折り返し部を側面部に接着して三角プリズム形状に形成した状態で、上下に重ねて配置する場合でも、重ねた容器によって折り返し部が押されて剥がれにくい。そのため、作成した容器を重ねて保管、持ち運びすることができるので使用しやすい。また、つなぎ目がないことで、気密性を高めることも可能である。
【０００９】
上記構成において、一枚の紙シートから構成され、前記紙シートの収納物を収納する側の面に耐油性層および耐水性層の少なくとも一方が積層されていてもよい。このように構成することで、内部に、水、油等が含まれる収納物を収納することが可能である。また、これ以外にも、水、油等が外部に漏れるのを防いだり、外部からのガスを防いだりすることができる層を備えていてもよい。
【００１０】
上記構成において、前記第１面部と前記第２面部とは直接連設されていてもよい。このように構成することで、容器を形成するシートの形状を簡略化することができる。これにより製造にかかる手間と時間を省くことが可能である。また、一枚の紙シートで構成するため、つなぎ目がなく、容器の強度を高めることが可能である。これにより、収納物を保護することが可能である。
【００１１】
上記構成において、長方形状の第３面部をさらに備え、前記第３面部の二対の対向する辺のうち一方の対向する辺のそれぞれに前記第１面部と、前記第２面部とが直接的に連設されており、前記第３面部の他方の対向する辺のそれぞれに一対の前記側面部が直接的に連接されていてもよい。このようすることで、開口を下にして置いたときに、上部に平面部が形成される。これにより、容器を重ねたときに安定しやすい。
【００１２】
上記構成において、前記第２面部と前記側面部の第２辺とは、前記折り返し部を介して間接的に連設され、前記第１張出部、前記第２張出部および前記第３張出部は、それぞれ、前記収納部に対して外側に折り曲げられており、前記第１張出部、前記第２張出部および前記第３張出部に接着される蓋部をさらに備える。これにより、第１張出部と第２張出部とを外側に折り曲げたとき、第１張出部の両端と第２張出部の突出部との間に、Ｖ字状の切欠きが形成されにくい。これにより、フランジ部で熱接着したときの気密性を保つことが可能である。
【００１３】
上記構成において、前記第２張出部の前記突出部は一対の前記側面部よりも内側に突出した重ね部を備え、前記重ね部は、前記第１張出部および第３張出部の両端部と重なるようにしてもよい。このように構成することで、第１張出部および第３張出部の両端部と、第２張出部の突出部とを重ねることができる。これにより、第１張出部と第２張出部との境界部分、および、第３張出部と第２張出部との境界部分における気密性をより高めることが可能である。
【００１４】
上記構成において、前記蓋部は、第１張出部、第２張出部および第３張出部のいずれかと一体的に形成されていてもよい。このように構成することで、１枚の紙で容器を完成させることが可能である。
【００１５】
上記構成において、前記第２面部と前記側面部の第２辺とは直接的に連設され、前記第１張出部および前記第２張出部は、それぞれ、前記収納部に対して外側に折り曲げられており、前記第３張出部を前記第２面部との境界線で折り曲げて蓋部として前記第１張出部および前記第２張出部に接着するようにしてもよい。このように構成することで、１枚の紙で容器を完成させることが可能である。また、折り返し部を減らすことができるため、折り返し部の折り返し作業を減らすことができるため、容器の製造に要する手間および時間を減らすことができる。
【００１６】
上記構成において、前記第２張出部の前記突出部は一対の前記側面部よりも内側に突出した重ね部を備え、前記重ね部は、前記第１張出部の両端部と重なるようにしてもよい。これにより、第１張出部と第２張出部との境界部分における気密性をより高めることが可能である。
【発明の効果】
【００１７】
本発明の容器によると、三角プリズム形状の収納物を収納することが可能であり、収納物を保護しつつ気密性を高めることができる。
【図面の簡単な説明】
【００１８】
【図１】本発明にかかる容器の一例の斜視図である。
【図２】容器のみを示す斜視図である。
【図３】組み立てられた容器を左側から見た図である。
【図４】図１に示す容器の展開図である。
【図５】本発明にかかる容器の左側から見た側面図である。
【図６】図５に示す容器の展開図である。
【図７】本発明にかかる容器の第１張出部と第２張出部とが隣接する部分の拡大図である。
【図８】本発明にかかる容器の他の例の斜視図である。
【図９】本発明にかかる容器のさらに他の例の斜視図である。
【図１０】図９に示す容器の展開図である。
【発明を実施するための形態】
【００１９】
＜第１実施形態＞
以下に図面を参照して本発明の実施形態を説明する。図１は、本発明にかかる容器の一例の斜視図である。図２は、容器のみを示す斜視図である。図３は、組み立てられた容器を左側から見た図である。図４は、図１に示す容器の展開図である。なお、以下の説明において、図３の状態を基準に上下左右を定義する。すなわち、図３において上方を上とし、下方を下とする。また、開口Ｏｐが形成されている側を手前とし、第１面部１が配置される側を奥側とする。さらに、第１面部１を奥側に見たときの左側を左とし、右側を右とする。なお、図１、図２に示す図では、蓋部Ｆｐが外れた状態を示し、図３に示す図では、蓋部Ｆｐが取り付けられた状態を示している。
【００２０】
（１．容器Ａ）
図１〜図４に示すように、容器Ａは、第１面部１、第２面部２、一対の側面部３、３、第１折り返し部４、第２折り返し部５、第１張出部６、第２張出部７、第３張出部８および蓋部Ｆｐ（図３参照）を備える。図４に示すように、容器Ａは、蓋部Ｆｐを除いて、１枚の紙シートＰｓを折り曲げることで形成される。図２に示すように、容器Ａは、略垂直をなして配置された第１面部１および第２面部２の側部に一対の側面部３、３を配置することで、三角プリズム形状の収納部Ｃｔを形成する。そして、図１に示すように、収納部Ｃｔにサンドイッチ等の収納物Ｓを収納し、開口Ｏｐを蓋部Ｆｐで封止することで、内部を密閉する。
【００２１】
（２．紙シートＰｓ）
紙シートＰｓにおける各部の形状および配置について説明する。図４に示すように、第１面部１および第２面部２は、四角形状である。第１面部１および第２面部２は、同じ形状である。図４に示すように、第１面部１は、等脚台形である。第１面部１は、上底部１１と、下底部１２と、一対の側辺部１３、１３とを備える。第１面部１において、一対の側辺部１３、１３は、対向する長さが等しい側辺である。第２面部２は第１面部１と同様に、上底部２１と、下底部２２と、一対の側辺部２３、２３とを備える。第２面部２において、一対の側辺部２３、２３が、対向する長さが等しい側辺である。
【００２２】
（２．１  第１面部１および第２面部２）
第１面部１と第２面部２とは、第１面部１の上底部１１と第２面部２の上底部２１とが連設されている。すなわち、上底部１１および上底部２１は、第１折り線Ｌ１を介して直接連設される。ここで、折り線とは、紙シートＰｓの折り曲げを容易にするための折り目が形成されている部分である。折り線は、山折りまたは谷折りされる。本実施例では、各部を構成する辺と折り線とが重なっているが、ずれて形成されてもよい。また、山折り、谷折りについては、容器Ａが組み立てられた状態、すなわち、図１、図２等に示す状態を収納部Ｃｔの外側から見たときを基準とする。つまり、図４の紙シートＰｓにおいて、山折りされる折り線を一点鎖線で示し、谷折りされる折り線を二点鎖線で示す。
【００２３】
本実施形態の容器Ａでは、第１面部１と第２面部２とは、等脚台形であるが、これに限定されず、長方形であってもよい。第１面部１と第２面部２とが連設される辺と隣接する一対の側辺が等しい形状を広く採用できる。また、第１面部１と第２面部２とは、同形状でなくてもよい。第１面部１および第２面部２の一方の側辺部が他方よりも長い形状であってもよい。少なくとも、連設される辺（ここでは、上底部１１、２１）が同じ長さで、対向する長さが等しい二辺（ここでは、側辺部１３、２３）を備えた形状を広く採用できる。
【００２４】
そして、第１面部１の下底部１２には、第６折り線Ｌ６を介して第１張出部６が連設される。また、第２面部２の下底部２２には、第６折り線Ｌ６を介して第３張出部８が連設される。なお、第１張出部６と第３張出部８とは同形状であり対をなしている。
【００２５】
（２．３  一対の側面部３）
一対の側面部３、３は、第１面部１および第２面部２の左右両側に対をなして配置される。紙シートＰｓにおいて、一対の側面部３、３は、第１面部１および第２面部２を挟んで鏡像の関係となるように配置されている。側面部３、３は、同一形状の部材であるため、詳細な形状の説明を行う場合において、代表して側面部３とする。側面部３は、二等辺三角形である。側面部３は長さが等しい第１辺３１と、第２辺３２とを備える。第１辺３１と第２辺３２とは、隣り合う辺である。そして、側面部３は、第１辺３１および第２辺３２の両方と隣り合う第３辺３３を備える。換言すると、側面部３において、第３辺３３は、第１辺３１および第２辺３２と対向する辺である。第１辺３１は、第１面部１の側辺部１３と同じ長さであり、第２辺３２は第２面部２の側辺部２３と同じ長さである。
【００２６】
側面部３の第３辺３３に第７折り線Ｌ７を介して第２張出部７が連設される。第２張出部７は、第３辺３３の全長に亘って形成されているとともに、第３辺３３の両端よりも外側に突出した突出部７１、７１を備える。なお、突出部７１、７１の突出長さＴ１は、第１張出部６および第３張出部８の短手方向の幅と同じである。なお、本実施形態では、第２張出部７に突出部７１を備える構成としているが、第１張出部６および第３張出部８に突出部を備える構成であってもよい。
【００２７】
紙シートＰｓにおいて、第１面部１の側辺部１３と側面部３の第１辺３１とは、折り返し部（第１折り返し部４）を介して間接的に連設される。同様に、第２面部２の側辺部２３と側面部３の第２辺３２も、折り返し部（第２折り返し部５）を介して間接的に連設される。すなわち、第１面部１と側面部３、および、第２面部２と側面部３は、いずれも、間接的に連設される。次に、第１折り返し部４および第２折り返し部５について説明する。
（２．４  第１折り返し部４および第２折り返し部５）
【００２８】
第１折り返し部４は、第１面部１の側辺部１３と側面部３の第１辺３１との間に配置される。図４に示すように、第１折り返し部４は、第１面部１の側辺部１３と第２折り線Ｌ２を介して連設される。また、第１折り返し部４は、側面部３の第１辺３１と第３折り線Ｌ３を介して連設される。すなわち、第１折り返し部４によって、第１面部１の側辺部１３と側面部３の第１辺３１とが間接的に連設される。
【００２９】
第１折り返し部４の中間部には、第２折り線Ｌ２と第３折り線Ｌ３との交点から外縁に向かって延びる第８折り線Ｌ８を備える。第１折り返し部４は、第８折り線Ｌ８にて、第１面部１側に配置される第１外折り部４１と側面部３側に配置される第１内折り部４２とに分割される。第１折り返し部４において、第１外折り部４１と、第１内折り部４２とは、同一の形状であり、ここでは、三角形状である。すなわち、第８折り線Ｌ８は、第１外折り部４１および第１内折り部４２の一辺を構成する。
【００３０】
第１外折り部４１および第１内折り部４２の第８折り線Ｌ８と対向する角部の角度θ１は、側面部３の第１辺３１と第３辺３３とがなす角部の角度γ１以下である。すなわち、角度θ１と角度γ１とに、θ１≦γ１の関係が成り立つように、第１外折り部４１および第１内折り部４２とが形成される。詳細は後述するが、ここでは、θ１＝γ１としている（図４参照）。
【００３１】
第２折り返し部５は、第２面部２の側辺部２３と側面部３の第２辺３２との間に配置される。図４に示すように、第２折り返し部５は、第２面部２の側辺部２３と第４折り線Ｌ４を介して連設される。また、第２折り返し部５は、側面部３の第２辺３２と第５折り線Ｌ５を介して連設される。すなわち、第２折り返し部５によって、第２面部２の側辺部２３と側面部３の第２辺３２とが間接的に連設される。
【００３２】
第２折り返し部５の中間部には、第４折り線Ｌ４と第５折り線Ｌ５との交点から外縁に向かって延びる第９折り線Ｌ９を備える。第２折り返し部５は、第９折り線Ｌ９にて、第２面部２側に配置される第２外折り部５１と側面部３側に配置される第２内折り部５２とに分割される。第２折り返し部５において、第２外折り部５１と、第２内折り部５２とは、同一の形状であり、ここでは、三角形状である。第９折り線Ｌ９は、第２外折り部５１および第２内折り部５２の一辺を構成する。
【００３３】
第２外折り部５１および第２内折り部５２の第９折り線Ｌ９と対向する角部の角度θ２は、側面部３の第２辺３２と第３辺３３とがなす角部の角度γ２以下である。すなわち、角度θ２と角度γ２とに、θ２≦γ２の関係が成り立つように、第２外折り部５１および第２内折り部５２とが形成される。詳細は後述するが、ここでは、θ２＝γ２としている（図４参照）。紙シートＰｓは以上の構成を有している。
【００３４】
（３．容器Ａの組み立て）
次に、容器Ａの組み立てについて説明する。まず、第１折り線Ｌ１を山折りして、第１面部１と第２面部２とを一定の角度をなすように折り曲げる。ここでは、第１面部１と第２面部２とは、略直交するように折り曲げられる。
【００３５】
そして、第８折り線Ｌ８を山折りする。これにより、第１折り返し部４の第１外折り部４１と第１内折り部４２とが重なる。このとき、第２折り線Ｌ２と第３折り線Ｌ３とが重なる。そして、第２折り線Ｌ２を山折り、第３折り線Ｌ３を谷折りすることで、第１折り返し部４の第１外折り部４１および第１内折り部４２とを重ねた部分は、側面部３の外側に折り返される。
【００３６】
第１外折り部４１および第１内折り部４２の第８折り線Ｌ８と対向する角部の角度θ１が側面部３の第１辺３１と第３辺３３とで形成される角度γ１以下である。そのため、第２折り線Ｌ２および第３折り線Ｌ３で折り返された第１外折り部４１および第１内折り部４２を重ねた部分は、側面部３内に収まる。なお、角度θ１が大きい方が、強度が高くなる。そのため、ここでは、θ１＝γ１としている（図３、図４参照）。
【００３７】
そして、重なった第１外折り部４１および第１内折り部４２は、第１内折り部４２が側面部３の外面と接触する。このとき、第１内折り部４２と側面部３の外面とを接着する。接着は、例えば、接着剤を用いた接着を挙げることができる。第１内折り部４２と側面部３の外面とは、容器Ａの内部に収納する収納物Ｓと直接接触するのを抑制できる。そのため、接着剤としては、特に限定されるものではなく、従来よく知られたものを利用可能である。
【００３８】
次に、第９折り線Ｌ９を山折りする。これにより、第２折り返し部５の第２外折り部５１と第２内折り部５２とが重なる。このとき、第４折り線Ｌ４と第５折り線Ｌ５とが重なる。そして、第４折り線Ｌ４を山折り、第５折り線Ｌ５を谷折りすることで、第２外折り部５１および第２内折り部５２を重ねた部分は、側面部３の外側に折り返される。
【００３９】
第２外折り部５１および第２内折り部５２の第９折り線Ｌ９と対向する角部の角度θ２が側面部３の第１辺３１と第３辺３３とで形成される角度γ２以下である。そのため、第４折り線Ｌ４および第５折り線Ｌ５で折り返された第２外折り部５１および第２内折り部５２を重ねた部分は、側面部３内に収まる。なお、角度θ２の大きさが大きい方が、強度が高くなる。そのため、ここでは、θ２＝γ２としている（図３、図４参照）。
【００４０】
そして、重なった第２外折り部５１および第２内折り部５２は、第２内折り部５２が側面部３の外面と接触する。このとき、第２内折り部５２と側面部３の外面とを接着する。接着は、例えば、接着剤を用いた接着を挙げることができる。第２内折り部５２と側面部３の外面とは、容器Ａの内部に収納する収納物Ｓと直接接触するのを抑制できる。
【００４１】
以上のように、第２折り線Ｌ２、第３折り線Ｌ３、第４折り線Ｌ４、第５折り線Ｌ５、第８折り線Ｌ８および第９折り線Ｌ９を折り曲げることで、左側の側面部３を折り曲げた第１面部１および第２面部２の左側に組み付けることができる。なお、第１面部１の左側の側辺部１３と側面部３の第１辺３１とが重なり、第２面部２の左側の側辺部２３と側面部３の第２辺３２とが重なる。
【００４２】
また、右側の第２折り線Ｌ２、第３折り線Ｌ３、第４折り線Ｌ４、第５折り線Ｌ５、第８折り線Ｌ８および第９折り線Ｌ９を、折り曲げることで、右側の側面部３を第１面部１および第２面部２の右側に組み付けることができる。なお、第１面部１の右側の側辺部１３と側面部３の第１辺３１とが重なり、第２面部２の右側の側辺部１３と側面部３の第２辺３２とが重なる。
【００４３】
このように、第１面部１、第２面部２および一対の側面部３、３を組み立てることで、第１面部１の下底部１２、第２面部２の下底部２２および一対の側面部３、３の第３辺３３、３３で囲まれた長方形状の開口Ｏｐを有する収納部Ｃｔが形成される。1枚の紙シートＰｓで収納部Ｃｔを形成することができるとともに、角部等につなぎ目が形成されないため、容器Ａは外力に対する強度が高い。そのため、収納物Ｓを保護する保護力を高めることができる。
【００４４】
そして、第１面部１の下底部１２に配置された第６折り線Ｌ６および第２面部２の下底部２２に配置された第６折り線Ｌ６で谷折りして、第１張出部６および第３張出部８を外側に折り曲げる。この時、第１張出部６および第３張出部８は、開口Ｏｐが含まれる面と同一面になるように折り曲げられる。
【００４５】
また、一対の側面部３、３それぞれの第３辺３３、３３に配置された第７折り線Ｌ７で谷折りすることで、第２張出部７を外側に折り曲げる。この時、第２張出部７は、開口Ｏｐが含まれる面と同一面になるように折り曲げられる。
【００４６】
そして、容器Ａでは、開口Ｏｐから収納部Ｃｔに収納物Ｓを収納する。そして、ポリエチレンテレフタレート（ＰＥＴ）、ポリプロピレン（ＰＰ）、ポリエチレン（ＰＥ）等を含む透明シートで形成された蓋部Ｆｐを第１張出部６、第２張出部７および第３張出部８に熱接着する。これにより、蓋部Ｆｐが開口Ｏｐを封止し、収納部Ｃｔに収納物Ｓが収納された容器Ａが形成される。すなわち、第１張出部６、第２張出部７および第３張出部８は、蓋部Ｆｐを貼り付けるためのフランジ部の役割を果たす。
【００４７】
紙シートＰｓでは、一対の側面部３、３と第１面部１および第２面部２とを第１折り返し部４および第２折り返し部５を介して間接的に連結される。そのため、紙シートＰｓにおいて第１張出部６と第２張出部７、および、第３張出部８と第２張出部７がそれぞれ離れた位置に形成される（図４参照）。これにより、第２張出部７の両端部に、突出部７１を形成できる。第２張出部７の突出部７１は、第１張出部６および第３張出部８の両端部と隣接する。
【００４８】
このように形成することで、第１張出部６と第２張出部７との間にＶ字状の切欠きが形成されない。同様に、第３張出部８と第２張出部７との間にＶ字状の切欠きが形成されない。そのため、蓋部Ｆｐと開口Ｏｐとの隙間ができにくくなる。これにより、容器Ａの気密性を高めることが可能である。
【００４９】
収納物Ｓの容器Ａの収納部Ｃｔへの収納は、収納物Ｓの容器Ａの収納部Ｃｔへの収納と、容器Ａの組み立てとは別の場所（装置）で行われる場合がある。そして、収納物Ｓを効率よく容器Ａに収納するために、ある程度の数の容器Ａを組み立てて準備しておく場合がある。そして、容器Ａの開口Ｏｐを下にして配置する。そして、その上から、下に配置された容器Ａの第１面部１、第２面部２および一対の側面部３、３が開口Ｏｐから収納部Ｃｔの内部に挿入されるように重ねる。
【００５０】
このとき、容器Ａにおいて第１折り返し部４および第２折り返し部５が側面部３の外側に形成される。そして、このような折り返し部分は、開いている部分（窓部とする）に外部の部材が接触すると、接着が外れる場合がある。第１折り返し部４および第２折り返し部５の窓部は、開口Ｏｐ側に形成される。そのため、上から容器Ａが配置されても、下側の容器Ａの第１折り返し部４および第２折り返し部５の接着が容器Ａによって外れにくい。また、上から配置される容器Ａでは、開口Ｏｐから内部に下側の容器Ａの第１面部１、第２面部２および一対の側面部３が挿入される。下側の容器Ａは、上側の容器Ａの第１折り返し部４および第２折り返し部５に干渉しない。そのため、容器Ａは、開口Ｏｐから他の容器Ａを挿入して重ねても、第１折り返し部４および第２折り返し部５が外れにくく、容器Ａが壊れにくい。
【００５１】
本実施形態の容器Ａによれは、収納部Ｃｔを蓋部Ｆｐで隙間なく封止できる。そして、一方の容器Ａの第１面部１、第２面部２および側面部３を他方の容器Ａの収納部Ｃｔに収納して重ねる場合でも第１折り返し部４および第２折り返し部５の接着が外れにくく、容器Ａが壊れにくい。
【００５２】
＜第２実施形態＞
以下に図面を参照して本発明の実施形態を説明する。図５は、本発明にかかる容器の左側から見た側面図である。図６は、図５に示す容器の展開図である。図５、図６に示す容器Ｂでは、第１面部１と第２面部２との間に第３面部９が備えられている。そして、一対の側面部３ｂ、３ｂが台形状であり、第１辺３１と第２辺３２との間に、第４辺３４を備えている。これ以外の点については、容器Ａと同じである。そのため、容器Ｂの容器Ａと実質上同じ部分には、同じ符号を付すとともに、同じ部分の詳細な説明は省略する。
【００５３】
図６に示すように、第３面部９は、長方形状である。そして、第３面部９の一対の長辺は、第１面部１の上底部１１および第２面部２の上底部２１とそれぞれ第１折り線Ｌ１を介して連設されている。また、第３面部９の短辺は側面部３ｂの第４辺３４と第１０折り線Ｌ１０を介して連設される。
【００５４】
容器Ｂでは、一対の第１折り線Ｌ１を山折りすることで、第１面部１および第２面部２は相対的に略直交する。第１０折り線Ｌ１０を山折りすることで、一対の側面部３ｂ、３ｂを第１面部１および第２面部２の左右の側部に組み付けることができる。なお、第２折り線Ｌ２〜第９折り線Ｌ９の折り曲げについては、容器Ａと同じである。
【００５５】
以上のようにして形成された容器Ｂでは、第３面部９は、開口Ｏｐが含まれる面、すなわち、第１張出部６および第２張出部７で形成される面と平行または略平行になる。このような、第３面部９を備える構成とすることで、容器Ｂを重ねて配置するときに、下の容器Ｂの第３面部９で上の容器Ｂを支持するため、安定して支持することが可能である。
【００５６】
これ以外の特徴については、第１実施形態と同じである。
【００５７】
＜第３実施形態＞
以下に図面を参照して本発明の実施形態を説明する。図７は、本発明にかかる容器の第１張出部と第２張出部とが隣接する部分の拡大図である。図７に示すように、本変形例の容器Ｃでは、第２張出部７ｃの突出部７１から第１張出部６に向かって重ね部７２が設けられている。これ以外の点については、第１実施形態の容器Ａと同じ構成を有する。そのため、実質上同じ部分には、同じ符号を付すとともに、同じ部分の詳細な説明を省略する。
【００５８】
図７に示すように、容器Ｃ１の第２張出部７ｃは、突出部７１から内側、すなわち、第１張出部６に向けて延びる重ね部７２を備える。容器Ｃでは、第１張出部６および第２張出部７ｃを折り曲げたとき、重ね部７２が第１張出部６の端部と重なる。また、図７では、第１面部１と隣り合う第１張出部６側を参照して説明したが、第２面部２と隣り合う第３張出部８側も同様の構成を有していてもよい。これにより、開口Ｏｐの角部で、第１張出部６と第２張出部７ｃとの境界部分および第３張出部８と第２張出部７ｃの隙間をなくすことができ、気密性を高めることが可能である。
【００５９】
なお、本実施形態の容器Ｃでは、重ね部７２が第１張出部６と重なる構成であったが、これに限定されない。重ね部７２が第３張出部８と重なるように形成してもよい。
【００６０】
これ以外の特徴については、第１実施形態と同じである。
【００６１】
＜第４実施形態＞
以下に図面を参照して本発明の実施形態を説明する。図８は、本発明にかかる容器の他の例の斜視図である。図８に示すように、容器Ｄでは、第２張出部７の一方に蓋部Ｆｐｄが形成されている。容器Ｄのそれ以外の点については、容器Ａと同じ構成である。そのため、容器Ｄにおいて、容器Ａと実質上同じ部分には、同じ符号を付すとともに同じ部分の詳細な説明は省略する。
【００６２】
図８に示すように、右側の第２張出部７の外側に、開口Ｏｐを覆うとともに、第１張出部６、第２張出部７および第３張出部８と辺縁部で重なる大きさの蓋部Ｆｐｄが連設されている。蓋部Ｆｐｄは、紙シートＰｓで、容器Ｄと一体に形成されている。そして、蓋部Ｆｐｄは、第２張出部７に対して回動可能であり、開口Ｏｐを開閉可能としている。
【００６３】
そして、容器Ｄでは、開口Ｏｐから収納物Ｓを収納した後、蓋部Ｆｐｄで開口Ｏｐを閉じる。そして、蓋部Ｆｐｄの辺縁部を第１張出部６、第２張出部７および第３張出部８に接着して固定する。このように、蓋部Ｆｐｄを容器Ｄと一体に形成することで開閉が容易であるとともに、収納物Ｓの一部を取り出した後に、容器Ｄの開口Ｏｐを容易に塞ぐことができる。
【００６４】
なお、第１張出部６、第２張出部７および第３張出部８と蓋部Ｆｐｄとの接着は、接着剤で行ってもよい。蓋部Ｆｐｄから容器Ｄの内部が見えるように、蓋部Ｆｐｄには、貫通窓を備えるとともに貫通窓に透明シートを貼着してもよい。なお、本実施形態において、蓋部Ｆｐｄは第２張出部７と一体に形成されていたが、これに限定されず、第１張出部６または第３張出部８の少なくとも一方と一体に形成されてもよい。
【００６５】
これ以外の特徴については、第１実施形態と同じである。
【００６６】
＜第５実施形態＞
以下に図面を参照して本発明の実施形態を説明する。図９は、本発明にかかる容器のさらに他の例の斜視図である。図１０は、図９に示す容器の展開図である。本実施形態の容器Ｅは、第２面部２ｅ、側面部３ｅ、第２張出部７ｅおよび第３張出部８ｅが異なる以外、第１実施形態の容器Ａと同じ構成である。そのため、容器Ｅの実質上、容器Ａと同じ部分には、同じ符号を付すとともに、同じ部分の詳細な説明は省略する。
【００６７】
図９、図１０に示すように、容器Ｅでは、第２面部２ｅの側辺部２３ｅと側面部３ｅの第２辺３２ｅとが第１１折り線Ｌ１１を介して直接的に連設されている。なお、第１面部１の側辺部１３と側面部３ｅの第１辺３１とは、折り返し部（第１折り返し部４）を介して直接的に連設されている。
【００６８】
さらに、第３張出部８ｅは、第１２折り線Ｌ１２を介して第２面部２ｅの下底部２２と直接連設されている。図１０に示すように、第３張出部８ｅは、角部が丸められた長方形状である。第３張出部８ｅの左右幅は、下底部２２の長さよりも長い。詳しく説明すると、第３張出部８ｅは、下底部２２の両端から第２張出部７ｅの幅と同じまたは略同じだけ延びた横幅を有する。また、第３張出部８ｅの縦の長さは、第２張出部７ｅと同じである。第２張出部７ｅは、第１張出部６側、すなわち、折り返し部（第１折り返し部４）と隣接する側にだけ、突出部７１を備えている。
【００６９】
図１０に示すように、紙シートＰｓｅにおいて、第２張出部７ｅと第３張出部８ｅとは、隣接している。そして、第２張出部７ｅと第３張出部８ｅとの境界部分には、第１２折り線Ｌ１２の延長線と重なる切れ込み８１ｅが設けられている。切れ込み８１ｅを備えることで、第３張出部８ｅは、第１２折り線Ｌ１２を左右に延ばした辺を有する形状である。紙シートＰｓｅは、以上のような構成を有する。次に、紙シートＰｓｅを折り曲げることによる容器Ｅの組み立てについて説明する。
【００７０】
まず、第１折り線Ｌ１を山折りして、第１面部１と第２面部２ｅとを一定の角度をなすように折り曲げる。ここでは、第１面部１と第２面部２ｅとは、略直交するように折り曲げられる。
【００７１】
そして、第８折り線Ｌ８を山折りする。これにより、第１折り返し部４の第１外折り部４１と第１内折り部４２とが重なる。このとき、第２折り線Ｌ２と第３折り線Ｌ３とが重なる。そして、第２折り線Ｌ２を山折り、第３折り線Ｌ３を谷折りすることで、第１折り返し部４の第１外折り部４１および第１内折り部４２とを重ねた部分は、側面部３ｅの外側に折り返される。
【００７２】
そして、重なった第１外折り部４１および第１内折り部４２は、第１内折り部４２が側面部３ｅの外面と接触する。このとき、第１内折り部４２と側面部３ｅの外面とを接着する。
【００７３】
そして、第１面部１の下底部１２に配置された第６折り線Ｌ６で谷折りして、第１張出部６を外側に折り曲げる。この時、第１張出部６は、開口Ｏｐが含まれる面と同一面になるように折り曲げられる。
【００７４】
また、一対の側面部３ｅ、３ｅそれぞれの第３辺３３、３３に配置された第７折り線Ｌ７で谷折りすることで、第２張出部７ｅを外側に折り曲げる。この時、第２張出部７ｅは、開口Ｏｐが含まれる面と同一面になるように折り曲げられる。
【００７５】
そして、容器Ａの開口Ｏｐから、収納部Ｃｔに収納物Ｓを収納する。その後、第１２折り線Ｌ１２で山折りすることで、第３張出部８ｅが開口Ｏｐを覆うように折り曲げられる。そして、第３張出部８ｅの辺縁部を第１張出部６および第２張出部７に接着して固定する。これにより、第３張出部８ｅが蓋部Ｆｐｅとして開口Ｏｐを封止し、収納部Ｃｔに収納物Ｓが収納された容器Ｅが形成される。すなわち、第１張出部６および第２張出部７ｅは、蓋部Ｆｐｅ（第３張出部８ｅ）を貼り付けるためのフランジ部の役割を果たす。
【００７６】
このように、容器Ａと一体に形成された第３張出部８ｅを蓋部Ｆｐｅとすることで、開閉が容易であるとともに、収納物Ｓの一部を取り出した後に容器Ｅの開口Ｏｐを容易に塞ぐことができる。
【００７７】
なお、第１張出部６および第２張出部７と第３張出部８ｅ（蓋部Ｆｐｅ）との接着は、接着剤で行ってもよい。第３張出部８ｅから容器Ｅの内部が見えるように、第３張出部８ｅに、貫通窓を備えるとともに貫通窓に透明シートを貼着してもよい。
【００７８】
上述した各実施形態では、紙シートで構成する容器を例に説明しているが、これに限定されない。例えば、樹脂等の一定の剛性を有する材料で構成してもよい。
【００７９】
以上、本発明の実施形態について説明したが、本発明はこの内容に限定されるものではない。また本発明の実施形態は、発明の趣旨を逸脱しない限り、種々の改変を加えることが可能である。
【００８０】
本発明にかかる容器Ａは、シート部材Ｐｓを折り曲げて形成された収納部Ｃｔを備える。容器Ａは、第１面部１、第２面部２および一対の側面部３を備える。第１面部１は、対向して配置されるとともに長さが等しい一対の側辺１３を含む四角形状である。第２面部２は対向して配置されるとともに長さが等しい一対の側辺２３を含む四角形状であるとともに第１面部１の側辺１３以外の一辺１１に直接的または間接的に連設されて第１面部１に対して所定の角度をなして配置される。一対の側面部３は、第１面部１の側辺１３と間接的に連設される第１辺３１と、第２面部２の側辺２３と直接的または間接的に連設される第２辺３２とを備える。収納部Ｃｔは、第１面部１と、第２面部２と、一対の側面部３とによって形成されて第１面部１および第２面部２と対向する部分に開口Ｏｐを有する三角プリズム形状である。シート部材Ｐｓは、第１面部１と、第２面部２と、一対の側面部３と、複数の折り返し部４（５）と、第１張出部６と、第２張出部７と、第３張出部８とを備える。第１面部１の側辺１３および第１辺３１とは、折り返し部４を介して間接的に連設される。一対の側面部３と間接的に連設される第２面部２の側辺２３と第２辺３２とは、折り返し部５を介して間接的に連設される。第１張出部６は、第１面部１の第２面部２と連設される辺１１と対向する辺１２に直接的に連設される。第２張出部７は、側面部３の第１辺３１および第２辺３２と隣接する第３辺３３に直接的に連設される。第３張出部８は、第２面部２の第１面部１と連設される辺２１と対向する辺２２に直接的に連設される。第２張出部７の折り返し部４（５）と近接する側の端部は、第３辺３３の端部よりも外側に突出する突出部７１を含む。折り返し部４（５）は、側面部３の第１辺３１または第２辺３２の内側の端部から外縁に延びる折り線Ｌ８で二つ折りされるとともに側面部３の外面に接着される。
【００８１】
容器Ａでは、折り返し部４（５）が、側面部３の外側に接着される。そのため、折り返し部４（５）を側面部３に接着して三角プリズム形状に形成した状態で、上下に重ねて配置する場合でも、重ねた容器Ａによって折り返し部４（５）が押されて剥がれにくい。そのため、作成した容器Ａを重ねて保管、持ち運びすることができるので使用しやすい。折り返し部４（５）で折り返して三角形プリズム形状に形成するため、外力により容器がつぶれにくく、収納物Ｓを保護することができる。また、つなぎ目がないことで、気密性を高めることも可能である。
【００８２】
上記構成において、一枚の紙シートＰｓ（Ｐｓｅ）から構成され、紙シートＰｓ（Ｐｓｅ）の収納物を収納する側の面に耐油性層および耐水性層の少なくとも一方が積層されていてもよい。このように構成することで、内部に、水、油等が含まれる収納物を収納することが可能である。
【００８３】
上記構成において、第１面部１と第２面部２とは直接連設されていてもよい。このように構成することで、容器Ａ（Ｃ、Ｄ、Ｅ）を形成するシート部材Ｐｓ（Ｐｓｅ）の形状を簡略化することができる。これにより製造にかかる手間と時間を省くことが可能である。
【００８４】
上記構成において、長方形状の第３面部９をさらに備え、第３面部９の二対の対向する辺のうち一方の対向する辺のそれぞれに第１面部１と、第２面部２とが直接的に連設されており、第３面部９の他方の対向する辺のそれぞれに一対の側面部３が直接的に連接されている。このようすることで、開口Ｏｐを下にしておいたときに、上部に平面（第３面部９）が形成される。これにより、容器Ｂを重ねたときに安定しやすい。
【００８５】
上記構成において、第２面部２と側面部３の第２辺３２とは、折り返し部５を介して間接的に連設され、第１張出部６、第２張出部７および第３張出部８は、それぞれ、収納部Ｃｔに対して外側に折り曲げられており、第１張出部６、第２張出部７および第３張出部８に接着される蓋部Ｆｐをさらに備える。これにより、第１張出部６と第２張出部７とを外側に折り曲げたとき、第１張出部６の両端と第２張出部７の突出部７１との間に、Ｖ字状の切欠きが形成されにくい。これにより、フランジ部で熱接着したときの気密性を保つことが可能である。
【００８６】
上記構成において、第２張出部７の突出部７１は一対の側面部３よりも内側に突出した重ね部７２を備え、重ね部７２は、第１張出部６および第３張出部８の両端部と重なるようにしてもよい。このように構成することで、第１張出部６および第３張出部８の両端部と、第２張出部７の突出部７１とを重ねることができる。これにより、第１張出部６と第２張出部７との境界部分、および、第３張出部８と第２張出部７との境界部分における気密性をより高めることが可能である。
【００８７】
上記構成において、前記蓋部Ｆｐｄは、第１張出部６、第２張出部７および第３張出部８のいずれかと一体的に形成されていてもよい。このように構成することで、１枚の紙で容器を完成させることが可能である。
【００８８】
上記構成において、前記第２面部２ｅの側辺２３ｅと側面部３ｅの第２辺３２ｅとは直接的に連設され、第１張出部６および第２張出部７は、それぞれ、収納部Ｃｔに対して外側に折り曲げられており、第３張出部８ｅを第２面部２ｅとの境界線２２で折り曲げて蓋部Ｆｐｅとして第１張出部６および第２張出部７に接着するようにしてもよい。このように構成することで、１枚の紙で容器を完成させることが可能である。また、折り返し部４を減らすことができるため、折り返し部４の折り返し作業を減らすことができるため、容器の製造に要する手間および時間を減らすことができる。
【００８９】
上記構成において、第２張出部７ｅの突出部７１は一対の側面部３ｅよりも内側に突出した重ね部７２を備え、重ね部７２は、第１張出部６の両端部と重なるようにしてもよい。これにより、第１張出部６と第２張出部７ｅとの境界部分における気密性をより高めることが可能である。
【産業上の利用可能性】
【００９０】
本発明によると、サンドイッチ、おにぎり等の三角プリズム形状の収納物を収納する容器に利用することができる。
【符号の説明】
【００９１】
１      第１面部
１１      上底部
１２      下底部
１３      側辺部
２      第２面部
２１      上底部
２２      下底部
２３      側辺部
２ｅ    第２面部
２３ｅ    側辺部
３      側面部
３１      第１辺
３２      第２辺
３３      第３辺
３４      第４辺
３ｂ    側面部
３ｅ    側面部
３２ｅ    第２辺
４      第１折り返し部
４１      第１外折り部
４２      第１内折り部
５      第２折り返し部
５１      第２外折り部
５２      第２内折り部
６      第１張出部
７      第２張出部
７１      突出部
７２      重ね部
７ｃ    第２張出部
７ｅ    第２張出部
８      第３張出部
８ｅ    第３張出部
８１ｅ    切れ込み
９      第３面部
Ａ      容器
Ｂ      容器
Ｃ      容器
Ｄ      容器
Ｅ      容器
Ｌ１      第１折り線
Ｌ２      第２折り線
Ｌ３      第３折り線
Ｌ４      第４折り線
Ｌ５      第５折り線
Ｌ６      第６折り線
Ｌ７      第７折り線
Ｌ８      第８折り線
Ｌ９      第９折り線
Ｌ１０    第１０折り線
Ｌ１１    第１１折り線
Ｌ１２    第１２折り線
Ｏｐ      開口
Ｐｓ      紙シート
Ｐｓｅ    紙シート
Ｓ      収納物
【図１】
2020075753.tif 000003
【図２】
2020075753.tif 000004
【図３】
2020075753.tif 000005
【図４】
2020075753.tif 000006
【図５】
2020075753.tif 000007
【図６】
2020075753.tif 000008
【図７】
2020075753.tif 000009
【図８】
2020075753.tif 000010
【図９】
2020075753.tif 000011
【図１０】
2020075753.tif 000012